(57)【特許請求の範囲】
【請求項１】
通信網に接続される基地局と無線通信する移動無線端末装置において、
電子機器とデータの送受信を行う端末接続手段と、
無線回線を介して前記基地局と、音声通信またはデータ通信を選択的に行う無線通信手段と、
この無線通信手段を介した前記基地局との通信状況を監視する監視手段と、
この監視手段の監視結果に基づいて、前記基地局との間に確立したデータ通信の通信リンクが切断されたことを検出する切断検出手段と、
前記基地局から音声通信を行うための着信の発生と、前記基地局に対して音声通信を行うための発信の発生を検出する通信検出手段と、
前記切断検出手段が通信リンクの切断を検出し、かつ前記通信検出手段が着信の発生または発信の発生を検出した場合に、前記端末接続手段を通じて前記電子機器に対してデータ通信が行えないことを通知する通知手段とを具備することを特徴とする移動無線端末装置。
【請求項２】
通信網に接続される基地局と無線通信する移動無線端末装置において、
電子機器とデータの送受信を行う端末接続手段と、
無線回線を介して前記基地局と、第１のデータ通信または前記端末接続手段に接続される前記電子機器を用いた第２のデータ通信を選択的に行う無線通信手段と、
この無線通信手段を介した前記基地局との通信状況を監視する監視手段と、
この監視手段の監視結果に基づいて、前記基地局との間に確立した前記第２のデータ通信の通信リンクが切断されたことを検出する切断検出手段と、
前記第１のデータ通信の開始の発生を検出する通信検出手段と、
前記切断検出手段が通信リンクの切断を検出し、かつ前記通信検出手段が前記第１のデータ通信の開始の発生を検出した場合に、前記端末接続手段を通じて前記電子機器に対してデータ通信が行えないことを通知する通知手段とを具備することを特徴とする移動無線端末装置。
【請求項３】
さらに、前記切断検出手段が通信リンクの切断を検出した場合に、計時を開始する計時手段を備え、
前記通知手段は、前記計時手段によって計時された時間が予め設定された値以上となった場合に、前記端末接続手段を通じて前記電子機器に対してデータ通信が行えないことを通知することを特徴とする請求項１または請求項２に記載の移動無線端末装置。
【発明の詳細な説明】
【０００１】
【発明の属する技術分野】
この発明は、例えばパーソナルコンピュータやＰＤＡ（Personal Digital Assistants）端末などの電子機器と接続して、移動通信網を通じたデータ通信を行ったり、あるいは単体で移動通信網を通じたデータ通信が可能な移動無線端末装置に関する。
【０００２】
【従来の技術】
従来より移動無線端末装置は、パーソナルコンピュータやＰＤＡ端末などの後位端末を接続してデータ通信を行うことが可能である。
このように後位端末を接続してデータ通信を行っている際に、基地局との間の無線リンクが切断されると、移動無線端末装置は、無線リンクが切断してしまったことを後位端末には通知せずに、上記後位端末に対して通信が可能な状態であるように見せかけるデータ通信休止状態となる。
【０００３】
このデータ通信休止状態は、移動無線端末装置に対して、後位端末からデータの送信要求があった場合、基地局から着信が生じてデータ通信が再開された場合、またはユーザから切断要求が与えられた場合に解除される。
【０００４】
すなわち、従来の移動無線端末装置は、上記のような外部からの働きかけがない限り、後位端末には無線リンクが切断されたことを通知せずに、データ通信休止状態が継続することになる。
【０００５】
このため、移動無線端末装置がデータ通信休止状態にあるときに、通信環境が劣悪な場所に移動したり、あるいはデータ通信サービスをサポートしていないエリアに移動するなどしてデータ通信が再開できない状態になり、一方、基地局側は、所定の時間が経過すると、データ通信リンクを切断した状態になる。
【０００６】
このような状態になった場合、既に基地局側はデータ通信リンクを切断した状態にあって、移動無線端末装置がすぐにデータ通信を行えない状態にあるにもかかわらず、後位端末では、ユーザからの切断要求などが生じない限り、データ通信が可能な状態にあると認識し、基地局の動作状態と一致しない状態が長時間継続してしまうという問題があった。
【０００７】
ところで近時、移動無線端末装置では、画像や多数の文字情報を表示可能な表示装置を備えるとともに、インターネットを通じたデータ通信機能を備え、電子メールの送受信やＷｅｂデータの閲覧が可能となった。
【０００８】
このように、データ通信やデータ処理が単独で可能な移動無線端末装置においても、上述したように基地局との間の無線リンクが切断されると、データ通信機能を実現する制御部に対しては、無線リンクが切断してしまったことを制御部には通知せずに、通信が可能な状態であるように見せかけるデータ通信休止状態となる。
【０００９】
このような移動無線端末装置にあっては、上記データ通信休止状態は、制御部からデータの送信要求が生じた場合、基地局から着信が生じてデータ通信が再開された場合、または、ユーザから切断要求が与えられた場合に解除される。
【００１０】
すなわち、データ通信やデータ処理が単独で可能な移動無線端末装置においても、上記のような動作が生じない限り、上記制御部には無線リンクが切断されたことを通知せずに、データ通信休止状態が継続することになる。
【００１１】
このため、移動無線端末装置は、データ通信中に通信環境が劣悪な場所に移動したり、あるいはデータ通信サービスをサポートしていないエリアに移動するなどして、データ通信が不可能な環境に移動すると、データ通信休止状態になり、一方、基地局側は、所定の時間が経過すると、データ通信リンクを切断した状態になる。
【００１２】
このような状態になった場合、既に基地局側はデータ通信リンクを切断した状態にあって、移動無線端末装置がすぐにデータ通信を行えない状態にあるにもかかわらず、移動無線端末装置では、ユーザからの切断要求などが生じない限り、データ通信が可能な状態にあると認識し、基地局の動作状態と一致しない状態が長時間継続してしまうという問題があった。
【００１３】
【発明が解決しようとする課題】
従来の移動無線端末装置では、データ通信が継続不可能な状況にあっても、ユーザからの切断要求などが生じない限り、接続される後位端末や通信制御を行う自己の部位に対して、データ通信が可能であるかのように見せかける状態が継続し、基地局の動作状態と一致しない状態が長時間継続してしまうという問題があった。
【００１４】
この発明は上記の問題を解決すべくなされたもので、データ通信が継続不可能な状況になった場合、接続される後位端末および自己が基地局の動作状態と一致しない状態が長時間継続することを防止可能な移動無線端末装置を提供することを目的とする。
【００１５】
【課題を解決するための手段】
上記の目的を達成するために、請求項１に係わる本発明は、通信網に接続される基地局と無線通信する移動無線端末装置において、電子機器とデータの送受信を行う端末接続手段と、無線回線を介して基地局と、音声通信またはデータ通信を選択的に行う無線通信手段と、この無線通信手段を介した基地局との通信状況を監視する監視手段と、この監視手段の監視結果に基づいて、基地局との間に確立したデータ通信の通信リンクが切断されたことを検出する切断検出手段と、基地局から音声通信を行うための着信の発生と、基地局に対して音声通信を行うための発信の発生を検出する通信検出手段と、切断検出手段が通信リンクの切断を検出し、かつ通信検出手段が着信の発生または発信の発生を検出した場合に、端末接続手段を通じて電子機器に対してデータ通信が行えないことを通知する通知手段とを具備するようにした。
【００１６】
上記構成の移動無線端末装置では、基地局とデータ通信が行えなくなってから、音声通信を行うための着信や発信が発生した場合に、電子機器に対して、データ通信が行えない旨を通知するようにしている。
【００１７】
したがって、上記構成の移動無線端末装置によれば、データ通信から音声通信に移行した場合、それを電子機器が認識できるので、電子機器の動作状態が基地局と長時間一致しない状態になるのを防止できる。
【００１８】
また、請求項２に係わる本発明は、通信網に接続される基地局と無線通信する移動無線端末装置において、電子機器とデータの送受信を行う端末接続手段と、無線回線を介して基地局と、第１のデータ通信または端末接続手段に接続される電子機器を用いた第２のデータ通信を選択的に行う無線通信手段と、この無線通信手段を介した基地局との通信状況を監視する監視手段と、この監視手段の監視結果に基づいて、基地局との間に確立した第２のデータ通信の通信リンクが切断されたことを検出する切断検出手段と、第１のデータ通信の開始の発生を検出する通信検出手段と、切断検出手段が通信リンクの切断を検出し、かつ通信検出手段が第１のデータ通信の開始の発生を検出した場合に、端末接続手段を通じて電子機器に対してデータ通信が行えないことを通知する通知手段とを具備するようにした。
【００１９】
上記構成の移動無線端末装置では、基地局と電子機器を用いる第２のデータ通信が行えなくなってから、第１のデータ通信が開始された場合に、電子機器に対して、データ通信が行えない旨を通知するようにしている。
【００２０】
したがって、上記構成の移動無線端末装置によれば、電子機器を用いる第２のデータ通信から第１のデータ通信に移行した場合、それを電子機器が認識できるので、電子機器の動作状態が基地局と長時間一致しない状態になるのを防止できる。
【００３６】
【発明の実施の形態】
以下、図面を参照して、この発明の一実施形態について説明する。
図１は、この発明の一実施形態に係わる移動無線端末装置の構成を示すものである。この移動無線端末装置は、無線回路１０、記憶回路２０、端末通信回路３０、制御回路４０、キー入力部５１および表示部５２を備える。
【００３７】
無線回路１０は、移動通信網に接続される基地局ＢＳと無線通信し、音声通信やデータ通信を行うもので、アンテナ１０ａ、無線送信部１１、マイクロホン１１ａ、無線受信部１２およびスピーカ１２ａを備える。
【００３８】
無線送信部１１は、音声通信時には、マイクロホン１１ａを通じて入力された音声により変調した無線信号を基地局ＢＳに送信し、またデータ通信時には、制御回路４０から与えられる送信データを無線信号を通じて基地局ＢＳに送信する。
【００３９】
無線受信部１２は、音声通信時には、基地局ＢＳから受信した無線信号を復調し、音声をスピーカ１２ａより拡声出力し、またデータ通信時には、基地局ＢＳから受信した無線信号から受信データを取得し、これを制御回路４０に出力する。
【００４０】
記憶回路２０は、例えば不揮発性メモリ、揮発性メモリなどに種々のデータを保存する部分で、基地局ＢＳを通じた通信に必要な各種設定情報や、電話帳データなどのユーザ設定データを保存するほかに、後述するような通信ソフトウェアを記憶する。
【００４１】
また、この記憶回路２０には、休止状態解除タイマ値記憶部２１を備えている。休止状態解除タイマ値記憶部２１は、後述する休止状態解除部４５で使用される休止状態解除タイマのタイマ値を記憶するものである。
【００４２】
端末通信回路３０は、ＰＤＡ（Personal Digital Assistants）やパーソナルコンピュータなどの後位端末と通信を行うもので、後位端末から送られるデータを受信する受信部３１、後位端末に対してデータを送信する送信部３２、これら受信部３１および送信部３２を、制御回路４０からの指示に従って制御する送受信制御部３３を備えている。
【００４３】
制御回路４０は、例えばマイクロコンピュータを主制御装置として備え、当該移動通信端末装置の各部を統括して制御するもので、発着信及び通話に関する移動通信端末としての一連の制御、キー入力部５１の各種キーを通じた入力制御と、表示部５２の表示制御を司るものである。
【００４４】
また、制御回路４０は、データ通信に関わる構成として、データ通信制御部４１、無線受信検出部４２、データ受信検出部４３、休止状態設定部４４、休止状態解除部４５、通信ソフトウェア処理部を備えている。
【００４５】
データ通信制御部４１は、無線回路１０、端末通信回路３０、キー入力部５１および制御回路４０内の各部からの情報に基づき、データ通信を統括して制御するものである。
【００４６】
無線受信検出部４２は、無線受信部１２の動作状態を監視し、この監視結果をデータ通信制御部４１に通知するものであって、例えば基地局ＢＳとの間の通信リンクが切断したことや、データ通信や音声通信を行うための着信が生じたことなどを検出し、これをデータ通信制御部４１に通知する。
【００４７】
データ受信検出部４３は、送受信制御部３３からの情報に基づいて、受信部３１の動作状態を監視し、この監視結果をデータ通信制御部４１に通知するものであって、例えば後位端末から送信すべきデータを受信部３１が受信したことなどを検出し、これをデータ通信制御部４１に通知する。
【００４８】
休止状態設定部４４は、無線リンク切断後、送受信制御部３３を通じて後位端末に対して通信が切断したことを通知しないように設定を行うものである。また、休止状態設定部４４は、送受信制御部３３を通じて後位端末に対してデータ通信終了を通知する。
【００４９】
休止状態解除部４５は、データ通信制御部４１の指示にしたがって、休止状態設定部４４に対してデータ通信休止状態の解除を指示する。また、休止状態解除部４５は、データ通信制御部４１の指示にしたがって、休止状態解除タイマ値記憶部２１に記憶されているタイマ値に基づく計時を行い、タイムアウトすると、この旨をデータ通信制御部４１に通知する。
【００５０】
通信ソフトウェア処理部４６は、記憶回路２０に記憶される通信ソフトウェアを読み込み、この読み込んだソフトウェアのプログラムを実行して、端末通信回路３０に接続される後位端末によるデータ通信を実現したり、当該移動無線端末装置単体で、電子メールの送受信制御やＷｅｂデータの閲覧制御を行う。
【００５１】
次に上記構成の移動通信端末装置の動作について説明する。なお、ここでは、後位端末としてパーソナルコンピュータを端末通信回路３０に接続し、このパーソナルコンピュータ上でデータ通信を行うためのアプリケーションソフトウェアを実行して、パケット交換網に接続する場合の動作について説明する。
【００５２】
図２は、上述したようなデータ通信を行う場合における移動通信端末装置の動作を説明するためのフローチャートで、この図を参照して説明する。このフローチャートに示す処理は、データ通信制御部４１により実施される。
【００５３】
そして、この処理は、ユーザが上記パーソナルコンピュータにおいて上記アプリケーションソフトウェアを起動し、これに応動して移動無線端末装置が基地局ＢＳとパケット交換データ通信を開始すると開始される。
【００５４】
まず、ステップ２ａにおいてデータ通信制御部４１は、無線受信検出部４２から通知される情報に基づいて、基地局ＢＳとの間に確立していた通信リンクが切断されたか否かを判定する。
【００５５】
ここで、基地局ＢＳとの間に確立していた無線リンクが切断された場合には、ステップ２ｂに移行し、一方、上記無線リンクが切断されていない場合には、ステップ２ａに移行して、再び通信リンクの監視を行う。
【００５６】
ステップ２ｂにおいてデータ通信制御部４１は、休止状態設定部４４に指示を与えて、データ通信休止状態の設定を行わせる。この指示により、休止状態設定部４４は、送受信制御部３３を通じて後位端末に対して無線通信が切断したことを通知しないように設定を行う。
そして、この設定により、後位端末に対して無線リンクが切断されたことを通知しないことで、データ通信が可能な状態が継続しているように見せる。
【００５７】
また、ステップ２ｂにおいてデータ通信制御部４１は、休止状態解除部４５に対して、データ通信休止状態解除に用いるタイマを起動するように指示し、ステップ２ｃに移行する。
【００５８】
この指示により、休止状態解除部４５は、休止状態解除タイマ値記憶部２１に記憶されているタイマ値を参照して計時を開始する。その後、上記タイマ値だけ計時を行うと、休止状態解除部４５は、タイムアウトした旨をデータ通信制御部４１に通知する。
【００５９】
ステップ２ｃにおいてデータ通信制御部４１は、無線受信検出部４２から通知される情報に基づいて、基地局ＢＳからパケットデータ通信を行うための着信が生じたか否かを判定する。
【００６０】
ここで、基地局ＢＳからパケットデータ通信を行うための着信が生じた場合には、ステップ２ｅに移行し、一方、パケットデータ通信を行うための着信が生じていない場合には、ステップ２ｄに移行する。
【００６１】
ステップ２ｄにおいてデータ通信制御部４１は、データ受信検出部４３から通知される情報に基づいて、後位端末から送信すべきデータを受信部３１が受信したか否かを判定する。
【００６２】
ここで、後位端末から送信すべきデータを受信した場合には、ステップ２ｅに移行し、一方、後位端末から送信すべき受信していない場合には、ステップ２ｇに移行する。
【００６３】
ステップ２ｅにおいてデータ通信制御部４１は、休止状態解除部４５に対して、タイマによる計時を停止するように指示し、ステップ２ｆに移行する。この指示により、休止状態解除部４５は、計時を終了する。
【００６４】
ステップ２ｆにおいてデータ通信制御部４１は、無線送信部１１および無線受信部１２を制御し、パケット交換によるデータ通信を開始し、ステップ２ａに移行する。
【００６５】
ステップ２ｇにおいてデータ通信制御部４１は、無線受信検出部４２から通知される情報に基づいて、基地局ＢＳから音声通信を行うための着信が生じたか否かを判定する。
【００６６】
ここで、基地局ＢＳから音声通信を行うための着信が生じた場合には、ステップ２ｋに移行し、一方、音声通信を行うための着信が生じていない場合には、ステップ２ｈに移行する。
【００６７】
ステップ２ｈにおいてデータ通信制御部４１は、キー入力部５１の操作状態を監視し、キー入力部５１を通じてユーザから音声通信を行うための発呼要求がなされた否かを判定する。
【００６８】
ここで、音声通信を行うための発呼要求がなされた場合には、ステップ２ｋに移行し、一方、音声通信を行うための発呼要求がなされていない場合には、ステップ２ｉに移行する。
【００６９】
ステップ２ｉにおいてデータ通信制御部４１は、休止状態解除部４５からタイムアウトした旨の通知を受けたか否かを判定する。
ここで、タイムアウトした旨の通知を受けた場合には、ステップ２ｋに移行し、一方、タイムアウトした旨の通知を受けていない場合には、ステップ２ｊに移行する。
【００７０】
ステップ２ｊにおいてデータ通信制御部４１は、通信ソフトウェア処理部４６を監視し、電子メールの送受信制御やＷｅｂデータの閲覧制御を行うためのプログラムが起動された否かを判定する。
ここで、上記プログラムが起動された場合には、ステップ２ｋに移行し、一方、上記プログラムが起動されていない場合には、ステップ２ｃに移行する。
【００７１】
ステップ２ｋにおいてデータ通信制御部４１は、休止状態解除部４５に対して、タイマによる計時を停止するように指示し、ステップ２ｌに移行する。この指示により、休止状態解除部４５は、計時を終了する。
【００７２】
ステップ２ｌにおいてデータ通信制御部４１は、休止状態設定部４４に対して、データ通信休止状態を解除する指示を与えて、当該処理を終了する。
これにより、休止状態設定部４４は、送受信制御部３３に対して、設定していたデータ通信休止状態を解除する。そして、この解除に合わせて、送受信制御部３３は、受信部３１および送信部３２を制御して、後位端末との通信リンクを開放させ、これにより後位端末はデータ通信が終了したことを認識し、通信を終える。
【００７３】
以上のように、上記構成の移動無線端末装置では、基地局ＢＳとの間の無線リンクが切断されると、休止状態設定部４４を制御して、端末通信回路３０を通じて後位端末にデータ通信を切断する旨の通知を行わないようにするとともに、休止状態解除部４５を制御して、データ通信休止状態解除に用いるタイマを起動させる。
【００７４】
やがて、上記タイマがタイムアウトすると、休止状態設定部４４を制御して、端末通信回路３０を通じて後位端末にデータ通信を切断する旨の通知を行う。これにより、後位端末はデータ通信が終了したことを認識し、通信リンクを開放して通信を終える。
【００７５】
したがって、上記構成の移動無線端末装置によれば、端末通信回路３０のデータ通信休止状態は、タイマ値に基づく所定時間の間に限って継続するので、データ通信が継続不可能な状況になったとしても、これを所定時間経過後は後位端末は認識でき、後位端末が基地局ＢＳの動作状態と一致しない状態が長時間継続することはない。
【００７６】
また、上記構成の移動無線端末装置では、基地局ＢＳとの間の無線リンクが切断され、端末通信回路３０がデータ通信休止状態になった場合に、音声通信のための着信や、音声通信のための発信が生じると、端末通信回路３０に設定されたデータ通信休止状態を解除するようにしている。
【００７７】
したがって、上記構成の移動無線端末装置によれば、端末通信回路３０のデータ通信休止状態は、音声通信のための着信や音声通信のための発信が生じると解除されるので、基地局ＢＳの動作状態と一致しない状態となることを防止できる。
【００７８】
尚、この発明は上記実施の形態に限定されるものではない。
例えば、上記実施の形態では、後位端末を接続してデータ通信を行う場合を例に挙げて説明したが、移動無線端末装置単体でデータ通信を行う場合にも適用可能である。
【００７９】
移動無線端末装置単体でデータ通信を行う場合には、データ通信休止状態となってからタイマ値に基づく所定時間が経過した場合には、データ通信制御部４１の制御により、データ通信休止状態を解除して、通信ソフトウェア処理部４６にデータ通信が継続不可能な状況にあることを通知する。
【００８０】
これにより、通信ソフトウェア処理部４６はデータ通信が継続不可能な状況にあることを認識でき、これによりデータ通信に関わる制御を中止または終了させることで、基地局ＢＳの動作状態と一致しない状態が長時間継続することを防止できる。
【００８１】
また、上記実施形態では、ステップ２ｌにおいて、後位端末との通信リンクを開放することで、後位端末にデータ通信が終了したことを認識させるようにしたが、これに代わって例えば、送信部３２が後位端末に対してデータ通信が終了したことを示すデータを送信し、後位端末にデータ通信が終了したことを通知するようにしてもよい。
その他、この発明の要旨を逸脱しない範囲で種々の変形を施しても同様に実施可能であることはいうまでもない。
【００８２】
【発明の効果】
以上述べたように、この発明では、基地局とデータ通信が行えなくなってから、音声通信を行うための着信や発信が発生した場合に、電子機器に対して、データ通信が行えない旨を通知するようにしている。
【００８３】
したがって、この発明によれば、データ通信から音声通信に移行した場合、それを電子機器が認識できるので、電子機器の動作状態が基地局と長時間一致しない状態になるのを防止可能な移動無線端末装置を提供できる。
【００８４】
また、この発明では、基地局と電子機器を用いる第２のデータ通信が行えなくなってから、第１のデータ通信が開始された場合に、電子機器に対して、データ通信が行えない旨を通知するようにしている。
【００８５】
したがって、この発明によれば、電子機器を用いる第２のデータ通信から第１のデータ通信に移行した場合、それを電子機器が認識できるので、電子機器の動作状態が基地局と長時間一致しない状態になるのを防止可能な移動無線端末装置を提供できる。
【図面の簡単な説明】
【図１】この発明に係わる移動無線端末装置の一実施形態の構成を示す回路ブロック図。
【図２】図１に示した移動無線端末装置の動作を説明するためのフローチャート。
【符号の説明】
１０…無線回路
１０ａ…アンテナ
１１…無線送信部
１１ａ…マイクロホン
１２…無線受信部
１２ａ…スピーカ
２０…記憶回路
２１…休止状態解除タイマ値記憶部
３０…端末通信回路
３１…受信部
３２…送信部
３３…送受信制御部
４０…制御回路
４１…データ通信制御部
４２…無線受信検出部
４３…データ受信検出部
４４…休止状態設定部
４５…休止状態解除部
４６…通信ソフトウェア処理部
５１…キー入力部
５２…表示部
【図１】
0003825731.tif 000002
【図２】
0003825731.tif 000003